(57)【要約】【課題】法面の緑化施工において、繁茂して処理に困っていた葛植物を利用して、周囲の環境や生態系に順応させると共に、低い施工コストで法面の客土の流出を防止して緑化を図った。【解決手段】整地施工した法面Ｓに、近隣で採取した葛茎１１を乾燥させて形成した紐体１を等高線状に適宜間隔で配設固定した後、紐体が隠れる程度に緑化用の客土材３を吹き付ける。この客材材には使用した葛茎以外の葉や小枝の部分を堆肥化して混入させて無駄なく用いる。また、紐体の配設固定において、一端側に節部２２を含んで切断した竹材２１を、長さ方向に沿って多数分割して土層への差し込み可能な棒状に形成すると共に、その一端部に分割して節部片が突出して成る引掛部２３を有する竹製のアンカーピン２を形成し、該アンカーピンを法面へ差し込んで引掛部を紐体に掛けるようにして紐体を固定する。【選択図】      図１
2005179954.tif 000002
【特許請求の範囲】
【請求項１】
整地施工した法面（Ｓ）に、葛の茎（１１）の部分を乾燥させて紐状にした紐体（１）を等高線状に適宜の間隔で配設固定した後、
紐体（１）が隠れる程度に緑化用の客土材（３）を吹き付けることを特徴とした法面緑化工法。
【請求項２】
紐体（１）の配設固定において、
一端側に節部（２２）を含んで切断した竹材（２１）を、長さ方向に沿って多数分割し、その一端部に分割して節部片が突出して成る引掛部（２３）を有する竹製のアンカーピン（２）を形成し、該アンカーピン（２）を法面（Ｓ）へ差し込んで引掛部（２３）を紐体（１）に掛けるようにして紐体（１）を固定したことを特徴とする請求項１記載の法面緑化工法。
【請求項３】
一端側に節部（２２）を含んで切断して竹材（２１）を、長さ方向に沿って多数分割して土層への差し込み可能な棒状に形成すると共に、その一端部に分割して節部片が突出して成る引掛部（２３）を形成してなることを特徴とする請求項１又は２記載の法面緑化工法に用いる竹製のアンカーピン。
【発明の詳細な説明】
【技術分野】
【０００１】
法面の崩落防止や安定性確保を図ると共に周辺環境に配慮した、特に、法面に繁茂する葛（クズ）を有効利用した法面緑化工法及びこれに用いる竹製のアンカーピンに関する。
【背景技術】
【０００２】
従来、道路敷設等の工事により山肌を削った法面には、崩落防止や安定性確保のためにコンクリートが打設されたり、コンクリートブロックや樹脂製の枠体を敷き詰めたりして固定することが行われていた。
【０００３】
近年は、法面の崩落防止や安定性確保の為だけでなく、周辺環境に配慮する観点からも芝を植えたり、又は所定の表土を法面に客土する等して緑化している。
【０００４】
この緑化施工方法としては、表土の流出を防止するために法面に金網や化学繊維からなるネットを敷設し、これらに鉄筋等からなるアンカーを打ち付けて固定した後に客土を吹き付けるようにして行っていた。このような施工方法としては、より環境に配慮する観点から、例えば、特許文献１に示すように、粗朶と鉄製の連結部材により格子状の枠を形成し、この枠を法面に設置して鉄製のアンカーピンで固定した後に、この法面の枠内に客土を充填すると共に、ポット苗を植樹している。
【０００５】
上記の法面の緑化施工方法では、生育の早い植物による早期緑化によりその安定と表面浸食を防止することはできているが、粗朶を連結部材により組み上げて枠を構成しているため、組立の煩雑さからその施工時間が増加すると共に、予め作成する粗朶や連結部材の製作コストが嵩むことになる。また、連結部材やアンカーピンが鉄製である点や、粗朶の配置やポット苗の植樹では元来その周辺の生態系に植生していたものでない点からも周辺生態系に負荷を与えてしまい、環境保全の観点からも配慮を欠いたものであった。
【０００６】
一方、自然のままの法面には時間と共に生命力のある葛（クズ）が自生繁茂していることがよく見られる。一般的に葛（クズ）は、温暖帯地域に広く分布するマメ科のつる性多年生植物であり、山間部の斜面や道路法面など放置面で日当たりの良い場所であれば繁茂し易い植物である。その性状はきわめて強健で、立木等地面から立ち上がったものがあると巻付いたりし、また、その茎や葉で斜面や法面の全体を被覆し日光を遮断して地表面付近に生育した草木を枯らす被害を及ぼしていた。
【０００７】
特に、法面において、これら地層に根ざした草木の枯死は、法面の保水力、保形力、地盤力を著しく脆弱化させて法面崩落の危険すらあった。そのため、法面における葛（クズ）の被害対策として、切離し法、掘り取り法、薬剤処理法などによるつる切りが定期的に行われていた。また、この伐採された葛（クズ）は、通常、廃棄物として焼却処理しているが、その処理量も膨大となることから何らかの有効な使い途が検討されていた。
【特許文献１】特開平１１−９３１７１号公報（第２−５頁、第９図）
【発明の開示】
【発明が解決しようとする課題】
【０００８】
本願発明にかかる法面緑化施工法の解決しようとする課題は、法面表層の客土の流出を防止して緑化を促して安定性を確保すると共に、施工対象となる法面の周囲の環境や生態系に考慮したものとしつつ、かつ低コストなものとすることである。
【０００９】
さらに、廃棄物として焼却処理していた葛（クズ）の有効利用の途を図ると共に、法面施工に用いる自然材料として近隣地域に生息していた草木を用いることが、より環境生態系に合致させるものとなる。
【課題を解決するための手段】
【００１０】
上記の課題を解決するため、本願発明にかかる法面緑化工法は、以下のように行っている。
【００１１】
すなわち、整地施工した法面（Ｓ）に、葛の茎（１１）の部分を乾燥させて紐状にした紐体（１）を等高線状に適宜の間隔で配設固定した後、紐体（１）が隠れる程度に緑化用の客土材（３）を吹き付けることを特徴としている。なお、上記の葛茎（１１）は、施工対象の法面に繁茂していたものを乾燥させて使用するが、これに限定するものではなく、環境順応性を考慮して近隣周辺地区から採取した葛を用いることがより好ましいものである。
また、ここで用いる客土材（３）には、採取した葛の葉や小枝の部分を堆肥化し、かつ適宜小片化して混入させるようにして、緑化種子の肥料として使用しても良い。
【００１２】
また、紐体（１）の配設固定において、一端側に節部（２２）を含んで切断した竹材（２１）を、長さ方向に沿って多数分割して土層への差し込み可能な棒状に形成すると共に、その一端部に分割して節部片が突出して成る引掛部（２３）を有する竹製のアンカーピン（２）を形成し、該アンカーピン（２）を法面（Ｓ）へ差し込んで引掛部（２３）を紐体（１）に掛けるようにして紐体（１）を固定したことを特徴としている。
【００１３】
なお、特許請求の範囲の書類と上記の課題を解決するための手段の欄で記載した括弧付き符号は、発明の構成の理解を容易にするため参考として図面符号を付記したもので、この図面上の形態に限定するものでないことはもちろんである。
【発明の効果】
【００１４】
本願発明の法面緑化工法及びこれに用いる竹製のアンカーピンは、上述する構成を採ることにより、以下の効果を奏する。
【００１５】
まず、葛茎から成る紐体（通常、一本で構成する。）を法面の延長方向（水平方向）へ沿って直接に張り付けるように施工しているため、法面へ吹付け付着させた客土の流出が防止されると共に、混入させた種子が発芽して法面へ根ざし、均一な緑化景観を形成することができる。また、元来、当該工法の対象法面に又は近隣の地域に繁茂していた葛を伐採し、その茎を乾燥させて紐体として使用しているため、本来なら焼却処理をしていた葛を有効利用することができ、施工コストの低減を図ることができる。加えて、調達する材料が、その地域と同一自然環境地域から収穫した自然材料を用いているため、その法面との自然環境上の順応性又は馴染み性を高度に適応させることができる更なる効果がある。
また、吹付ける客土には、葛の葉や小枝などの紐体を構成する茎以外の部分を堆肥化して混入させて緑化種子の肥料としているため、採取した葛を廃棄することなく全部を効率良く利用することができる。
【００１６】
さらに、葛茎から構成した紐体を竹材からなるアンカーピンで固定しているため、緑化施工の対象法面及び周辺生態系に負荷を与えず、環境との親和性にも配慮したものである。
【発明を実施するための最良の形態】
【００１７】
以下に、本願発明にかかる法面緑化工法、及びこれに用いる竹製のアンカーピンの実施例（以下、「本実施例」と略称する。）における最良の形態を、図面に基づき詳細に説明する。
【実施例１】
【００１８】
図１は本実施例の本願工法により対象法面に紐体（葛茎）を配設固定した状態を示す一部拡大切欠き斜視図であり、図２は本実施例の本願工法で使用するアンカーピンとその形成状態を示す一部切欠き斜視図であり、図３は本実施例のうちの対象法面に緑化用の客土を散布する状態を示す一部切欠き斜視図である。
【００１９】
先ず、本実施例の本願工法の前段階として、図１に示すように、緑化対象となる斜面やその周辺に繁茂している葛Ｋや他の草木を伐採し、適宜に建設機械などを駆使して法面を整地施工する。
【００２０】
上記の整地施工した法面Ｓや施工近隣地区から伐採した葛Ｋを乾燥させ、枝葉を落として葛茎１１（直径１〜２ｃｍ程度）を紐状にし、これを適宜に結び目などにより適宜に連結して一条の紐体１に形成する。
【００２１】
次に、葛Ｋから形成した紐体１を、法面Ｓに等高線上（法面の勾配方向）に適宜の間隔で接触させるようにして配設する。本実施例での配設間隔は、法面Ｓの傾斜角と客土含水時の流出性を考慮して３０ｃｍ〜５０ｃｍ程度で調整して配設している。かかる紐体１の法面Ｓへの固定は、アンカーピン２を法面に突き差し込むと共にその頭部に設けた引掛部２３を紐体１に引掛けて押さえ付けるようにして行う。
【００２２】
ところで、ここで使用しているアンカーピンは、図２に示すように、孟宗竹などの竹材２１から形成している。この形成は、一端側にのみ節部２２を含むようにしてその節部２２の直近で切断した竹材２１を用い、これを長さ方向（円筒形の母線方向）に沿って所定幅の多数個に分割して土層への差し込み可能な棒状部２４を形成すると共に、必要よりこの棒状部２４の反節部側の端部を鋭利に加工したものである。またこの切断時には、節部２２の節面２２ａを中心から放射状に等分割した節部片を各棒状部２４と一体化して残すようにしている。この節部片が棒状部２４より僅かに下方（鋭利加工側）に傾いた引掛部２３を形成するようにしている。本実施例のアンカーピン２の寸法は、棒状部の全長が約２０ｃｍ、引掛部２３の突出長が２〜３ｃｍ程度で形成しているが、これは圧入する法面Ｓの地層粘度や葛茎１１の反発力を考慮して適宜に選択される。
【００２３】
最後に、上記の紐体１の配設固定が完了した後には、図３に示すように、紐体１が隠れる程度、すなわち厚さ２〜３ｃｍ程度の緑化用の客土材３を、通常用いられている散布手段Ｐを用いて法面Ｓの一面に均一に吹き付ける。なおこの客土材３は従来と同様であり、一般に周辺生態系の負荷軽減を考慮して周辺環境に植生した埋土種子から構成されるが、適宜に養生材、生育促進剤、粘着材、土壌改良材、植物性繊維、浸食防止材、保水材、用水、及び肥料等を混入させて構成されるものである。
【図面の簡単な説明】
【００２４】
【図１】本実施例の本願工法により対象法面に紐体（葛茎）を配設固定した状態を示す一部拡大切欠き斜視図である。
【図２】本実施例の本願工法で使用するアンカーピンとその形成状態を示す一部切欠き斜視図である。
【図３】本実施例のうちの対象法面に緑化用の客土を散布する状態を示す一部切欠き斜視図である。
【符号の説明】
【００２５】
１  紐体
１１  葛茎
２  アンカーピン
２１  竹材
２２  節部
２２ａ  節面
２３  引掛部（節部片）
２４  棒状部
３  客土材
Ｋ  葛（自生の）
Ｐ  散布手段
Ｓ  法面
【図１】
2005179954.tif 000003
【図２】
2005179954.tif 000004
【図３】
2005179954.tif 000005